(57)【特許請求の範囲】
【請求項１】
放電ランプを光源として映像を投写表示するプロジェクタ装置において、
照明光を出射する放電ランプと該放電ランプを収納するランプハウジングとを含むランプユニットと、
該ランプユニットの光出射側に配置され、前記ランプハウジングの外周部と係合し該ランプハウジングに回転駆動力を伝達する回動ホルダと、
該回動ホルダに回転駆動力を供給する駆動ユニットを備え、
前記回動ホルダは、その中央部に前記放電ランプのリフレクタの外周形状と略等しい穴を設け、前記放電ランプから出射された光を遮らない形状とし、
前記回動ホルダの回転により、前記放電ランプはその光軸を中心に前記ランプユニットごと回転することを特徴とするプロジェクタ装置。
【請求項２】
請求項１に記載のプロジェクタ装置において、
前記回動ホルダの光出射側には、前記回動ホルダを回転可能に保持する固定ホルダを備え、
前記固定ホルダには整光レンズが取り付けられており、前記放電ランプから出射された光が前記整光レンズを介して投写されるように構成されることを特徴とするプロジェクタ装置。
【請求項３】
請求項１または２に記載のプロジェクタ装置において、
前記回動ホルダと前記ランプハウジングの外周部は、円周方向に形成した凹凸部にて係合する構成としたことを特徴とするプロジェクタ装置。
【請求項４】
請求項３に記載のプロジェクタ装置において、
前記ランプユニットの光出射側と反対側には前記ランプハウジングの回動軸を設け、
該回動軸を、当該装置の取り外し可能な外蓋に取り付けた軸支持板にて回転可能に保持することを特徴とするプロジェクタ装置。
【請求項５】
請求項４に記載のプロジェクタ装置において、
当該装置から前記外蓋を取り外し、前記軸支持板から前記ランプハウジングの前記回動軸を外し、前記回動ホルダとの凹凸部の係合を外すことにより、前記放電ランプを前記ランプユニットごと当該装置から取り外すことを特徴とするプロジェクタ装置。
【請求項６】
請求項１ないし５のいずれか１項に記載のプロジェクタ装置において、
前記駆動ユニットはモータを駆動源として歯車列にて駆動力を伝達する構成とし、
前記回動ホルダの円周部には、前記駆動ユニットからの駆動力を受ける歯車形状の回転伝達部を設けたことを特徴とするプロジェクタ装置。
【請求項７】
請求項１ないし６のいずれか１項に記載のプロジェクタ装置において、
前記回動ホルダの回転位置を検出する回転センサと、
該回転センサの検出信号により前記駆動ユニットの回転駆動力を制御する制御回路を備え、
前記回動ホルダを所定の角度範囲で反復して回転させることを特徴とするプロジェクタ装置。
【請求項８】
請求項７に記載のプロジェクタ装置において、
前記回動ホルダの外周には、回転方向を反転させる位置に突起を設け、
前記回転センサは可動スイッチを有し、該可動スイッチが前記突起と直接、あるいは中継部材を介して接触することで検出信号を出力することを特徴とするプロジェクタ装置。
【発明の詳細な説明】
【技術分野】
【０００１】
本発明は、放電ランプを光源として映像を投写表示するプロジェクタ装置に係り、特に放電ランプの照度低下を抑制するプロジェクタ装置に関する。
【背景技術】
【０００２】
プロジェクタ装置の光源としては、一般に高圧水銀ランプ等の放電ランプが用いられる。放電ランプは点灯時に高温になるため、ランプバルブ発光部に封止された気体の対流が起こり、同発光部の上部側が下部側に比べて高温になる。このため、長時間使用すると、ランプバルブの発光部の上部側の石英ガラスが結晶化して失透し、照度が低下していくという問題があった。
【０００３】
これを解決するため特許文献１には、放電ランプのランプバルブ（発光管）の両端封止部を保持手段により回転自在に保持し、一方の封止部と連結する回転手段によりランプバルブを周期的に回転させる構成が提案されている。これにより、対流現象によるランプバルブ上下の温度差がなくなり、石英ガラスの部分的な失透現象をなくしてランプバルブ上下における明るさを均一にすることが述べられている。
【先行技術文献】
【特許文献】
【０００４】
【特許文献１】特開平３−４８８３６号公報
【発明の概要】
【発明が解決しようとする課題】
【０００５】
上記特許文献１に記載の構造においては、ランプバルブの光の出射側に回転のための軸受や保持手段が配置されるため、軸受や保持手段で出射光が遮られてしまう。その結果、照度低下や照度分布の不均一、ならびに軸受や保持手段の発熱が生じるという問題がある。さらには、特許文献１に記載の構造では、放電ランプの交換について特に考慮されておらず、交換作業が困難になると予想される。
【０００６】
本発明の目的は、放電ランプのランプバルブを回転させる際に、保持手段等により出射光を遮ることがなく、かつ放電ランプの交換を容易としたプロジェクタ装置を提供することである。
【課題を解決するための手段】
【０００７】
本発明は、放電ランプを光源として映像を投写表示するプロジェクタ装置であって、照明光を出射する放電ランプと該放電ランプを収納するランプハウジングとを含むランプユニットと、該ランプユニットの光出射側に配置され、該ランプユニットからの出射光を遮ることなく通過し、前記ランプハウジングの外周部と係合し該ランプハウジングに回転駆動力を伝達する回動ホルダと、該回動ホルダに回転駆動力を供給する駆動ユニットを備え、前記回動ホルダの回転により、前記放電ランプはその光軸を中心に前記ランプユニットごと回転する構成とした。
【発明の効果】
【０００８】
本発明によれば、放電ランプを回転させることにより、ランプバルブの石英ガラスの部分的な結晶化を防止し、放電ランプの長寿命化が実現できる。その際、ランプからの出射光は回転機構により遮られることがなく、投写表示される映像の照度の低下や照度分布の不均一は生じない。また、放電ランプはランプユニットごと回転機構から簡単に取り外すことができるので、放電ランプの交換が容易なプロジェクタ装置を提供することができる。
【図面の簡単な説明】
【０００９】
【図１】本発明に係るプロジェクタ装置の一実施例で装置全体の内部構成図。
【図２】ランプユニット１と駆動ユニット４の周辺の構成図。
【図３】放電ランプ１０の概略断面図。
【図４】ランプユニット１とその近傍の実装状態を示す斜視図。
【図５】ランプユニット１とその近傍の分解した状態を示す斜視図。
【図６】ランプユニット１とその近傍の断面図。
【図７】図６のＡ部の拡大断面図。
【図８】駆動ユニット４の内部構成を示す図。
【図９】回転センサ８０近傍の拡大図。
【図１０Ａ】回転センサ８０の動作を説明する図。
【図１０Ｂ】回転センサ８０の動作を説明する図。
【図１０Ｃ】回転センサ８０の動作を説明する図。
【図１１】回転センサ８０とモータの制御回路８５の回路接続を示す図。
【図１２】ランプユニット１を取り外した状態を示す斜視図。
【発明を実施するための形態】
【００１０】
図１は、本発明に係るプロジェクタ装置の一実施例で装置全体の内部構成図を示す。主な構成要素として、光源となる放電ランプ１０を収納するランプユニット１、ランプユニット１へ冷却風を導く冷却ダクト２、冷却風を発生する冷却ファン３、ランプユニット１を回転させる駆動ユニット４、光学像（映像）を形成する表示素子としての液晶パネル５、映像を外部のスクリーン等に投写表示する投写レンズ６、受熱した冷却風を装置外部へ排出する排気ファン７を備える。上記光学部品や冷却部品を収納するための筐体は、外蓋９、下側ケース８、上側ケース（図示せず）にて構成する。
【００１１】
放電ランプ１０はランプユニット１ごと駆動ユニット４により回転させる構成とし、ランプバルブの石英ガラスの部分的な結晶化による失透現象をなくすようにしている。また外蓋９は、下側ケース８、上側ケースに対して取り外し自在に保持されており、外蓋９を外すことで、放電ランプ１０（ランプユニット１）の交換を容易にしている。
【００１２】
図２は、ランプユニット１と駆動ユニット４の周辺の構成図を示す。ランプユニット１は、放電ランプ１０とランプハウジング２０を含み、放電ランプ１０はランプハウジング２０に収納されている。ランプハウジング２０にはこれに回転力を伝達する回動ホルダ３０が一体で回転可能に取り付けられている。回動ホルダ３０は非回転の固定ホルダ４０により回転自在に保持されている。回動ホルダ３０は駆動ユニット４により回転駆動され、回動ホルダ３０が回転することで、ランプユニット１すなわち放電ランプ１０が同時に回転するようになっている。
【００１３】
固定ホルダ４０の中央部には、放電ランプ１０から出射された光を略平行光に変換して光学系へ出射する整光レンズ４９が取り付けられている。冷却ファン３で発生した冷却風は冷却ダクト２を通り、固定ホルダ４０の冷却風取り込み口（後述、図４の符号４１）から放電ランプ１０に供給され、ランプバルブ（後述、図３の符号１１）を冷却する。ランプバルブ１１を冷却した冷却風は、冷却風取り出し口４３から排気される。
【００１４】
図３は、放電ランプ１０の概略断面図を示す。放電ランプ１０は、光源となるランプバルブ１１（以下、単にバルブとも呼ぶ）とランプチップ１２、バルブ１１を背後から覆うリフレクタ１３で構成され、封止部１７によりバルブ１１はリフレクタ１３に固定保持されている。バルブ１１内にはタングステン等で製造された２つの対向電極１４が所定距離離れた状態で配されており、この対向電極１４間にてアーク放電を行い発光させることで点灯する。放電ランプ１０を点灯させると、その発生熱にてバルブ１１内に封止された金属ハロゲン化物等の気体が対流し、放電されたアーク１５は反重力方向（すなわち上部側１１ａ）に湾曲する。したがって、バルブ１１の発光部となる上部側１１ａが下部側１１ｂよりも常に高温となり、石英ガラス等を組成とするバルブ１１の上部側１１ａの結晶化の進行を早める。結晶化による失透は投写表示する際の照度低下の要因となる。
【００１５】
そこで本実施例では、放電ランプ１０を駆動ユニット４により周期的に回転させる構成とし、バルブ１１の上部側１１ａと下部側１１ｂとが周期的に入れ替わるようにして、石英ガラスの部分的な結晶化をなくすようにした。以下、ランプユニット１の回転機構について詳細に説明する。
【００１６】
図４は、ランプユニット１とその近傍の実装状態を示す斜視図である。
また図５は、ランプユニット１とその近傍の分解した状態を示す斜視図である。
【００１７】
ランプユニット１は、放電ランプ１０とこれを固定して収納するランプハウジング２０を含む。ランプユニット１の光出射側には回動ホルダ３０を配し、回動ホルダ３０とランプハウジング２０とを一体的に回転させるために、両者の係合面には複数の凹凸部を設けている。図５では、ランプハウジング２０に設けた複数の凹部２２を示している。なお、回動ホルダ３０にもこれに係合する複数の凸部（後述、図１２の符号３２）を設けている。また、ランプハウジング２０の光出射側には、放電ランプ１０のリフレクタ１３の外周形状と略等しい穴２３を設け、放電ランプ１０から出射された光を遮らないようにしている。
【００１８】
さらにランプハウジング２０の光出射側の反対側には、回動軸２１を設けている。回動軸２１に対応する位置には、回動軸２１を保持する軸支持板７１を配置し、この軸支持板７１は装置の外蓋９にネジ等で固定している。軸支持板７１には回動軸２１と係合する軸受７０を設け、回動軸２１を回転自在に支持する。このとき回動軸２１にコイルスプリング７５を装着することで、ランプハウジング２０に対し矢印７６方向に所定の付勢力を与え、ランプハウジング２０と回動ホルダ３０との係合を確実に保つようにしている。なお、ランプケーブル１８は、図示しない電源から放電ランプ１０に電力を供給するものであり、放電ランプ１０に接続されるケーブル端は放電ランプ１０と一緒に回転することになる。
【００１９】
回動ホルダ３０は略円環形状とし、固定ホルダ４０側の外周部には、駆動ユニット４からの回転駆動力を受ける歯車形状の回転伝達部３１を有する。さらに回転伝達部３１の内側には円筒状の円周外面３５を有し、回動ホルダ３０は円周外面３５を介して、固定ホルダ４０に対して回転自在に取り付けられている（後述、図６，７）。回動ホルダ３０においても、その中央部には放電ランプ１０のリフレクタ１３の外周形状と略等しい穴３３を設け、放電ランプ１０から出射された光を遮らないようにしている。
【００２０】
固定ホルダ４０は回動ホルダ３０を保持するとともに、回動ホルダ３０の回転位置を検出するための回転センサ８０を取り付けている。固定ホルダ４０には、冷却風取り込み口４１と冷却風取り出し口４３を有し、冷却ダクト２と接続することで、放電ランプ１０内に冷却風を送りバルブ１１を冷却する。固定ホルダ４０の出射側には、整光レンズ４９を取り付けている。固定ホルダ４０は、装置の筐体である底板、あるいは照明光を送り込む照明光学ユニットの基台に固定される。
【００２１】
図６は、ランプユニット１とその近傍の断面図である。冷却風取り込み口４１より流入した冷却風１００は、ほぼ密閉されたリフレクタ１３内部の空間内を通り、バルブ１１を冷却した後、冷却風取り出し口４３よりランプユニット１外へと排出される。ランプユニット１外へ排気された冷却後の空気は、排気ファン７などにより装置外へ排出される。また、ランプユニット１から出射された光は、回動ホルダ３０や固定ホルダ４０にて遮られることなく整光レンズ４９を介して投写用の照明光となる。
【００２２】
図７は、図６のＡ部（点線部）の拡大断面図である。回動ホルダ３０の円周外面３５は、固定ホルダ４０の円周内面４５により、所定の嵌め合いにて支持される。その際の摺動性を配慮して、固定ホルダ４０の円周内面４５側をベアリングなどの軸受けにて支持しても良い。
【００２３】
図８は、駆動ユニット４の内部構成を示す図である。内部が見えるようハウジング(外装)６７の一部を除去している。
【００２４】
駆動ユニット４は、駆動源であるモータ６０と複数の歯車列により構成し、多段減速を行う。本例では、モータ６０の先にウォームギア５１を配し、歯車５２に係合させる。歯車５２は歯車５３との間で減速を行い、歯車５３は最終段の歯車５４にてさらに減速させる。その結果、回動ホルダ３０の回転数はモータ６０の回転数より十分に低く減速し、例えば１ｒｐｍ以下に設定する。各々の歯車列の中心にはシャフト６５を貫通させ、駆動ユニット４のハウジング６７にてこれらのシャフト６５を支持する。モータ６０も同様にハウジング６７に納められ、駆動ユニット４としてプロジェクタ装置内に固定する。
【００２５】
回動ホルダ３０の外周には歯車形状の回転伝達部３１が設けられ、回転伝達部３１は、駆動ユニット４の歯車列の最終段となる歯車５４と係合されている。モータ６０を回転させることにより、回動ホルダ３０およびランプユニット１を一体的に所定の速度で回転させることができる。
【００２６】
固定ホルダ４０上に設けた回転センサ８０は、回動ホルダ３０の回転位置を検出し、検出信号を制御回路８５に送る。制御回路８５は、回転センサ８０から受けた検出信号に基づき、モータ６０に対して回転制御信号を送る。具体的には以下に説明するように、回動ホルダ３０に対し所定の角度範囲で反復回転動作を行なわせるようにする。
【００２７】
本実施例の構成では、ランプユニット１の回転動作において、放電ランプ１０への電力供給を行うランプケーブル１８の接続部も一緒に回転するための、ケーブル１８に捩れが伴う。捩れ量が増加することによるケーブルの混線を避けるため、回転範囲を所定の角度範囲に制限し、その範囲内で反復回転させるようにした。例えば、所定の角度範囲を１８０度とし、ケーブル１８の長さには回転角度分の長さの余裕を持たせて混線によるトラブルを回避している。
【００２８】
図９は、回転センサ８０近傍の拡大図である。固定ホルダ４０には、回転センサ８０とアーム９０が取り付けられている。また、回動ホルダ３０の外周には、回転伝達部３１のほかに外周上の１８０度対角位置に２個の突起３８ａ，３８ｂを設けている。これらの突起３８ａ，３８ｂは、回転方向を反転させる位置に設ける。固定ホルダ４０上のアーム９０は回転軸９１を中心に左右に振れる構成であり、回転センサ８０側に突き出した二股状の先端部９０ａと回動ホルダ３０側に突き出した先端部９０ｂを有している。アーム９０の先端部９０ｂが回動ホルダ３０の突起３８ａ（３８ｂ）に接して傾倒すると、反対側の先端部９０ａは回転センサ８０の可動部（可動スイッチ）８１を傾倒し、回転センサ８０から検出信号が出力される。なお、アーム９０の先端部９０ａ，９０ｂと回転センサ８０の可動部８１は、外力を受けると左右いずれかの方向に傾倒するが、外力が除去されると復帰機構により中立位置に戻る。回転センサ８０は、可動部８１が左右いずれかの方向に傾倒したとき検出信号を出力するが、中立位置では検出信号を出力しない。制御回路８５は、回転センサ８０から検出信号を受ける毎に、モータ６０の回転を反転させる制御を行う。
【００２９】
図１０Ａ、図１０Ｂ、図１０Ｃは、回転センサ８０の動作を説明する図である。また図１１は、回転センサ８０とモータの制御回路８５の回路接続を示す図である。
図１０Ａは、回動ホルダ３０が矢印３６の方向に回転を行う状態を示す。回動ホルダ３０に設けた一方の突起３８ａがアーム９０の位置に達すると、アーム先端部９０ｂに接触しアーム９０を中心軸９１の回りに右回り方向に傾倒させる。これに連動して、アーム９０の反対側の先端部９０ａは回転センサ８０の可動部（可動スイッチ）８１を矢印８６の方向に傾倒させ、回転センサ８０から検出信号（ＯＮ）を出力する。回転センサ８０から出力された検出信号（ＯＮ）が制御回路８５に送られると、制御回路８５の制御部は、モータドライバを制御してモータ６０の回転方向を反転させる。
【００３０】
図１０Ｂは、モータ６０の回転を反転させた後の状態を示す。回動ホルダ３０は矢印３７の方向に回転し、突起３８ａはアーム先端部９０ｂから離れている。このとき、アーム９０およびアーム先端部９０ａは中立位置８８に戻ることから、回転センサ８０の可動部８１も中立位置８８に復帰する。その結果、回転センサ８０からの検出信号はＯＦＦとなる。
【００３１】
図１０Ｃは、回動ホルダ３０が矢印３７の方向にさらに回転を続けた状態を示す。回動ホルダ３０に設けた他方の突起３８ｂがアーム９０の位置に達すると、アーム先端部９０ｂに接触しアーム９０を中心軸９１の回りに左回り方向に傾倒させる。これに連動して、アーム９０の反対側の先端部９０ａは回転センサ８０の可動部８１を矢印８７方向に傾倒させ、回転センサ８０から検出信号（ＯＮ）を出力する。回転センサ８０から出力された検出信号（ＯＮ）が制御回路８５に送られると、制御回路８５の制御部は、モータドライバを制御してモータ６０の回転方向を反転させる。
【００３２】
これによりモータ６０は逆回転し、回動ホルダ３０は矢印３６方向に回転する。以下、上記の動作をサイクルとして繰り返し、放電ランプ１０の点灯中は反復回転を継続する。なお、上記例では回転センサ８０の可動部８１は、中継部材であるアーム９０を介して回動ホルダ３０の突起３８ａ，３８ｂと接触するようにしたが、アーム９０を省略して可動部８１が直接突起３８ａ，３８ｂと接触する構成としても良い。
【００３３】
次に、ランプユニット１の着脱方法について説明する。
図１２は、ランプユニット１を取り外した状態を示す斜視図である。ランプユニット１のランプハウジング２０には凹部２２を設け、また回動ホルダ３０には凸部３２を設けている。そして、凹部２２と凸部３２を係合させることでランプユニット１を回動ホルダ３０に装着し、回動ホルダ３０からの回転力をランプユニット１に伝達するようにしている。両者は凹部と凸部の係合構造であるので、ランプユニット１（ランプハウジング２０）を回動ホルダ３０から容易に取り外すことができる。また、ランプユニット１を光軸方向７６から取り付ける際、ランプユニット１の姿勢が光軸中心に対して傾斜していても容易に挿入でき、所定位置へ誘導することができる。
【００３４】
また、ランプハウジング２０の回動軸２１は軸支持板７１で回転自在に支持され、軸支持板７１はプロジェクタ装置の外蓋９（図１）にネジ止め固定されている。ここに外蓋９は装置から取り外し自在であり、外蓋９を取り外すことで軸支持板７１を露出させ、外蓋９から軸支持板７１を外すことができる。軸支持板７１を外すことで、コイルスプリング７５を介したランプハウジング２０への矢印７６方向の付勢力が解除され、ランプユニット１と軸支持板７１とが分離される。
【００３５】
以上の手順により、今まで使用したランプユニット１を、新しい放電ランプ１０が搭載されたランプユニット１と容易に交換することができる。このとき、回動ホルダ３０と固定ホルダ４０はプロジェクタ装置側に残るため、交換するランプユニット１は、放電ランプ１０とランプハウジング２０のみという最小限の部品点数で済み、交換用ランプユニット１を安価にすることが可能となる。
【００３６】
なお、本発明は上記した実施例に限定されるものではない。本発明の目的を達成する回転機構とその動作制御・保持手段において、下記に述べる変形例は本発明の範疇である。
【００３７】
（１）駆動ユニット４から回動ホルダ３０に対して回転駆動力を伝達する機構は、歯車に限定されるものではなく、例えばプーリとベルトによる構成であってもよい。
【００３８】
（２）ランプハウジング２０の回動軸２１を保持する軸支持板７１は、外蓋９と一体の構造であってもよい。外蓋９と軸支持板７１を一体化することで、ランプユニット１の着脱時の作業がさらに容易になり、ランプ使用時に外蓋９が必ず閉まることにより安全性が向上する。
【００３９】
（３）ランプユニット１の着脱方向は矢印７６の軸方向に限定せず、装置天面、または装置底面からランプユニット１を着脱する構成でもよい。その場合は、ランプユニット交換時の着脱方向にランプの取り出し側が揃うように、ランプユニットの回転位置を調整する（取手などがある場合は取手が取り出し側を向くよう調整する）。例えばプロジェクタ装置を消灯する際に、ランプユニット１の取り出し側が常に取り出し方向になるよう回転させて停止させる。あるいは、操作部にランプ交換ボタンを配し、交換時にユーザが交換ボタンを押下することでモータ６０を駆動し、所定の取り出し方向にランプユニット１を回転させる構成でもよい。ただし前者の場合は、消灯時に必ずしもランプ交換を行うものではないので、消灯時にその時点の位置を内部メモリに記憶し、次の点灯時は前回点灯時の回転角度位置への復元した上での動作再開を行う構成を伴うことが望ましい。
【００４０】
（４）ランプユニット１を反復回転させる場合の回転角度の範囲は、放電ランプ１０の特性などに合わせて任意に設定すればよい。すなわち、回転角度の範囲は２個の突起３８ａ，３８ｂの間隔で調整すればよく、回転範囲を１回転（３６０度）とする場合は突起３８を１個だけ設ければよい。
【００４１】
（５）ランプユニット１の回転速度については、ユーザが任意に設定できる。また、ランプからの照度等を検知して、最適な性能を得られるように速度制御を行う構成でもよい。これにより、例えば照度低下の進行している回転位置付近ではランプユニット１の回転速度を速めることができる。
【００４２】
（６）回転センサ８０については、機械的接触により検出する方式のほかに、光学的な非接触検出方式でもよい。また、回転角度位置の検出に代えて、モータ６０への電力供給時間を計測して所定の時間間隔ごとに回転動作を反転させてもよい。
【００４３】
以上のように本実施例によれば、放電ランプの回転機構によりランプバルブ上下の温度差をなくし、ランプバルブの石英ガラスの部分的な結晶化を防止するようにした。その際、ランプからの出射光は回転機構により遮られることがなく、投写表示される映像の照度の低下や照度分布の不均一は生じない。また、放電ランプはランプユニットごと回転機構から簡単に取り外すことができるので、放電ランプの交換が容易なプロジェクタ装置を提供することができる。
【符号の説明】
【００４４】
１…ランプユニット、
２…冷却ダクト、
３…冷却ファン、
４…駆動ユニット
５…液晶パネル、
６…投写レンズ、
７…排気ファン、
９…外蓋、
１０…放電ランプ、
１１…ランプバルブ、
１３…リフレクタ、
１８…ランプケーブル、
２０…ランプハウジング、
２１…回動軸、
２２…凹部、
３０…回動ホルダ、
３１…回転伝達部、
３２…凸部、
３５…円周外面、
３８ａ，３８ｂ…突起、
４０…固定ホルダ、
４１…冷却風取り込み口、
４３…冷却風取り出し口、
４５…円周内面、
４９…整光レンズ、
５２，５３，５４…歯車、
６０…モータ、
７０…軸受、
７１…軸支持板、
７５…コイルスプリング、
８０…回転センサ、
８１…可動部（可動スイッチ）、
８５…制御回路、
９０…アーム、
９０ａ，９０ｂ…先端部。
【図１】
0005700825.tif 000002
【図２】
0005700825.tif 000003
【図３】
0005700825.tif 000004
【図４】
0005700825.tif 000005
【図５】
0005700825.tif 000006
【図６】
0005700825.tif 000007
【図７】
0005700825.tif 000008
【図８】
0005700825.tif 000009
【図９】
0005700825.tif 000010
【図１０Ａ】
0005700825.tif 000011
【図１０Ｂ】
0005700825.tif 000012
【図１０Ｃ】
0005700825.tif 000013
【図１１】
0005700825.tif 000014
【図１２】
0005700825.tif 000015